(57)【特許請求の範囲】
【請求項１】
複数のガスこんろ部にそれぞれ点火・消火を手動操作で行うための点火・消火操作部を設けると共に、複数のガスこんろ部のうちの一のガスこんろ部で自動調理を行うための調理設定部を一つ設け、前記調理設定部は、自動調理を行うガスこんろ部の選択入力をするガスこんろ部選択入力部と、選択したガスこんろ部で自動調理を行うための一組の調理入力部及び調理表示部とを備えたガスこんろにおいて、前記ガスこんろ部選択入力部は、前記点火・消火操作部とは別に設けられて、選択しようとするガスこんろ部の点火・消火操作部にて点火操作がされた後に該ガスこんろ部の選択入力がされた場合には該選択を受け付けると共に、選択しようとするガスこんろ部が消火されている時に該ガスこんろ部の選択入力がされた場合には該選択を受け付けないように制御して成ることを特徴とするガスこんろ。
【請求項２】
一のガスこんろ部の選択を受け付けた後所定時間内に調理入力部からの入力がない場合には該ガスこんろ部の選択を解除することを特徴とする請求項１記載のガスこんろ。
【請求項３】
全てのガスこんろ部が消火されている時に一のガスこんろ部の点火・消火操作部にて点火操作がされた場合に、該点火操作がされたガスこんろ部の選択を受け付けることを特徴とする請求項１又は２記載のガスこんろ。
【請求項４】
一のガスこんろ部の選択を受け付けた状態で他のガスこんろ部の選択入力がされた時に、前記選択されている一のガスこんろ部の選択を解除すると共に他のガスこんろ部の選択を受け付けることを特徴とする請求項１乃至３のいずれか一項に記載のガスこんろ。
【請求項５】
一のガスこんろ部の選択を受け付けた状態で他のガスこんろ部の選択入力がされた時に、前記選択されている一のガスこんろ部の選択を維持すると共に他のガスこんろ部の選択を受け付けないことを特徴とする請求項１乃至３のいずれか一項に記載のガスこんろ。
【請求項６】
一のガスこんろ部の選択を受け付けた状態で他のガスこんろ部の選択入力がされた時に、前記選択されている一のガスこんろ部の選択を解除すると共に他のガスこんろ部の選択を受け付けるか、あるいは、前記選択されている一のガスこんろ部の選択を維持すると共に他のガスこんろ部の選択を受け付けないか、を選択可能とすることを特徴とする請求項１乃至３のいずれか一項に記載のガスこんろ。
【請求項７】
自動調理が可能な複数のガスこんろ部の火力を略同等として成ることを特徴とする請求項１乃至請求項６のいずれか一項に記載のガスこんろ。
【発明の詳細な説明】
【技術分野】
【０００１】
本発明は、ガスこんろに関するものである。
【背景技術】
【０００２】
従来から、自動調理の機能を有するガスこんろ部を備えたガスこんろが知られている（例えば、特許文献１、特許文献２、特許文献３参照）。
【０００３】
通常、ガスこんろは複数のガスこんろ部を備えており、このうちの一つのガスこんろ部について揚げもの、炊飯、湯わかし等の自動調理が可能となっている。
【０００４】
ところで、ガスこんろ部の一つを自動調理可能とする場合、調理入力部及び調理表示部からなる調理設定部をこんろ本体に設ける必要があるが、複数のガスこんろ部で自動調理が可能となっている場合、各ガスこんろ部に対応する調理設定部をそれぞれ設けようとすると、こんろ本体に調理設定部の配設スペースをそれぞれ確保する必要があって大型化してしまうと共にコストの増大化を招いてしまうという問題があった。
【０００５】
このため、ガスこんろ部の一つを自動調理可能として、残りのガスこんろ部を自動調理不可とすることで、上記問題を解決することが考えられるが、この場合、複数のガスこんろ部から自動調理するガスこんろ部を適宜選択して自動調理を行うことができず、また、自動調理が可能なガスこんろ部の位置を異ならせた複数種類のガスこんろを製造する必要が生じて、設計及び製造の手間がかかってしまう。
【０００６】
そこで、特許文献１乃至特許文献３等に示されるもののように、調理設定部又はその表示部を複数のガスこんろ部で共有して適宜切り替えるようにすることで、上記問題を解決するものが開発されているが、このものにあっては、操作が煩雑となってしまうものであった。
【０００７】
つまり、自動調理を行うガスこんろ部をガスこんろ部選択入力部で選択入力するのであるが、この場合、選択及び自動調理の設定を行った後でこのガスこんろ部の点火・消火操作部にて点火操作するパターンと、このガスこんろ部の点火・消火操作部にて点火操作した後で選択及び自動調理の設定を行うパターンの二通りのパターンが生じて、それぞれの制御パターンを設定しておく必要が生じると共に、操作手順も二通り生じて操作が煩雑となってしまうという問題があった。
【特許文献１】特開２００５−２０７６６７号公報
【特許文献２】特許第３２１８４９９号公報
【特許文献３】特開２００２−００５４５４号公報
【発明の開示】
【発明が解決しようとする課題】
【０００８】
本発明は上記従来の問題点に鑑みて発明したものであって、その目的とするところは、ガスこんろに調理設定部を一つ設けるだけで済んでこんろ本体の小型化及び簡素化が図られ、しかも自動調理を行うガスこんろ部を複数のうちから選択することで複数種類のガスこんろを製造する必要がなくて設計及び製造ラインの簡素化が図られるものにおいて、パターンの固定化を行って、多くの制御パターンを設定しておく必要がないと共に、操作手順が煩雑となってしまうことのないガスこんろを提供することを課題とするものである。
【課題を解決するための手段】
【０００９】
上記課題を解決するために請求項１に係る発明は、複数のガスこんろ部２にそれぞれ点火・消火を手動操作で行うための点火・消火操作部４を設けると共に、複数のガスこんろ部２のうちの一のガスこんろ部２で自動調理を行うための調理設定部５を一つ設け、前記調理設定部５は、自動調理を行うガスこんろ部２の選択入力をするガスこんろ部選択入力部６と、選択したガスこんろ部２で自動調理を行うための一組の調理入力部７及び調理表示部８とを備えたガスこんろにおいて、前記ガスこんろ部選択入力部６は、前記点火・消火操作部４とは別に設けられて、選択しようとするガスこんろ部２の点火・消火操作部４にて点火操作がされた後に該ガスこんろ部２の選択入力がされた場合には該選択を受け付けると共に、選択しようとするガスこんろ部２が消火されている時に該ガスこんろ部２の選択入力がされた場合には該選択を受け付けないように制御して成ることを特徴とするものである。
【００１０】
このように、ガスこんろに調理設定部５を一つ設けるだけで済んでしかも自動調理を行うガスこんろ部２を複数のうちから選択することができるものにおいて、ガスこんろ部２の選択及び自動調理の設定を行った後でこのガスこんろ部２の点火・消火操作部４にて点火操作するパターンと、ガスこんろ部２の点火操作をした後でガスこんろ部２の選択及び自動調理の設定を行うパターンの二通りのパターンのうち、後者のパターンに固定したことで、二通りのパターンの制御を設定しておく必要がないと共に、操作手順が二通り生じて操作が煩雑となってしまうといったことがないものである。
【００１１】
また、請求項２に係る発明は、請求項１に係る発明において、一のガスこんろ部２の選択を受け付けた後所定時間内に調理入力部７からの入力がない場合には該ガスこんろ部２の選択を解除することを特徴とするものである。
【００１２】
このような構成とすることで、ガスこんろ部２の選択を受け付けた状態を長時間維持することによる無駄なエネルギー消費を抑えることができる。
【００１３】
また、請求項３に係る発明は、請求項１又は２に係る発明において、全てのガスこんろ部２が消火されている時に一のガスこんろ部２の点火・消火操作部４にて点火操作がされた場合に、該点火操作がされたガスこんろ部２の選択を受け付けることを特徴とするものである。
【００１４】
このような構成とすることで、ガスこんろ部選択入力部６の入力操作を行う必要がなくなり、操作回数を削減して操作性を向上させることができるものである。
【００１５】
また、請求項４に係る発明は、請求項１乃至３のいずれか一項に係る発明において、一のガスこんろ部２の選択を受け付けた状態で他のガスこんろ部２の選択入力がされた時に、前記選択されている一のガスこんろ部２の選択を解除すると共に他のガスこんろ部２の選択を受け付けることを特徴とするものである。
【００１６】
このような構成とすることで、一のガスこんろ部２選択モードの解除と他のガスこんろ部２選択モードへの移行とを一操作部で行うことができて操作部を兼用することができると共に一操作で行うことができて操作性が向上するものである。
【００１７】
また、請求項５に係る発明は、請求項１乃至３のいずれか一項に係る発明において、一のガスこんろ部２の選択を受け付けた状態で他のガスこんろ部２の選択入力がされた時に、前記選択されている一のガスこんろ部２の選択を維持すると共に他のガスこんろ部２の選択を受け付けないことを特徴とするものである。
【００１８】
このような構成とすることで、一のガスこんろ部２の選択を受け付けた状態で誤って他のガスこんろ部２の選択入力がされた時に前記状態が解除されたり自動調理が途中で停止してしまうのを防止することができる。
【００１９】
また、請求項６に係る発明は、請求項１乃至３のいずれか一項に係る発明において、一のガスこんろ部２の選択を受け付けた状態で他のガスこんろ部２の選択入力がされた時に、前記選択されている一のガスこんろ部２の選択を解除すると共に他のガスこんろ部２の選択を受け付けるか、あるいは、前記選択されている一のガスこんろ部２の選択を維持すると共に他のガスこんろ部２の選択を受け付けないか、を選択可能とすることを特徴とするものである。
【００２０】
このような構成とすることで、使用者の好みに応じた設定を行うことができるものである。
【００２１】
また、請求項７に係る発明は、請求項１乃至６のいずれか一項に係る発明において、自動調理が可能な複数のガスこんろ部２の火力を略同等として成ることを特徴とするものである。
【００２２】
このような構成とすることで、高火力とするガスこんろ部２の位置を異ならせた複数種類のガスこんろを製造する必要がなくて設計及び製造ラインの簡素化が図られる。
【発明の効果】
【００２３】
本発明にあっては、ガスこんろに調理設定部を一つ設けるだけで済んでこんろ本体の小型化及び簡素化が図られ、しかも自動調理を行うガスこんろ部を複数のうちから選択することで複数種類のガスこんろを製造する必要がなくて設計及び製造ラインの簡素化が図られるものにおいて、パターンの固定化を行ったことで、二通りの制御パターンを設定しておく必要がないと共に、操作手順が二通り生じて操作が煩雑となってしまうことがないものである。
【発明を実施するための最良の形態】
【００２４】
以下、本発明の一実施形態について添付図面に基づいて説明する。
【００２５】
本発明のガスこんろＡは、複数（即ち少なくとも二つ）のガスこんろ部２を備えたものを対象とするもので、本実施形態では三つのガスこんろ部２とグリルとを備えたガスこんろについて説明する。なお、グリル及びその操作部等については詳細な説明を省略する。
【００２６】
ガスこんろＡの主体を構成するこんろ本体１の内部の左右方向の中央部にグリル３が配設してあり、こんろ本体１の前面の左右方向の中央部にグリル３のグリル扉３ａが配置してある。
【００２７】
こんろ本体１の上面にはガスこんろ部２が複数配設してあり、添付図面に示す実施形態ではこんろ本体１の上面に三つのガスこんろ部２が配設してあり、三つのガスこんろ部２は上面の手前側の左側に左こんろ部２ａ、右側に右こんろ部２ｂ、及び上面の後側の左右方向の中央部に後こんろ部２ｃをそれぞれ配設してある。ここで、左右に配設したガスこんろ部２ａ、２ｂはなべ底の温度を検知する温度センサ２ｄを有して燃焼制御を行うと共に高火力のガスこんろ部２となっている。また、後方上面の後側の左右方向の中央部に配設した後こんろ部２ｃは小火力のガスこんろ部２となっている。
【００２８】
こんろ本体１の前面の上部（添付図面に示す実施形態では左側の上部及び右側の上部）にはそれぞれ上記複数のガスこんろ部２の点火、消火操作を手動で行うための点火・消火操作部４が設けてある。図３に示す実施形態では前面の左側に左こんろ部２ａの点火、消火操作を行うための点火・消火操作部４ａを配設し、前面の右側に右こんろ部２ｂの点火、消火操作を行うための点火・消火操作部４ｂと、後こんろ部２ｃの点火、消火操作を行うための点火・消火操作部４ｃとを配設してあり、点火・消火操作部４ｂは点火・消火操作部４ｃよりも右側に配置してある。つまり、三つのガスこんろ部２が左側から右側にかけて左こんろ部２ａ、後こんろ部２ｃ、右こんろ部２ｂの順に配置してあるので、この配置に対応して三つの点火・消火操作部４も左側から右側にかけて左こんろ部２ａの点火、消火操作を行うための点火・消火操作部４ａ、後こんろ部２ｃの点火、消火操作を行うための点火・消火操作部４ｃ、右こんろ部２ｂの点火、消火操作を行うための点火・消火操作部４ｂの順に配設してある。
【００２９】
上記各点火・消火操作部４は添付図面においては前後方向に移動自在な押釦により構成してあり、点火・消火操作部４を構成する押釦は前後方向に移動自在で且つ前方に突出した状態で回動自在となっている。消火状態では点火・消火操作部４が後方に押されて押釦よりなる点火・消火操作部４の前面がこんろ本体１の前面と略面一状態となるように後退状態が保持されている。ガスこんろ部２の使用に当たっては、押釦よりなる点火・消火操作部４を押し操作して点火操作をすることで、後退していた点火・消火操作部４が前方に突出して器具栓がＯＮとなり、流出する燃料ガスにスパーク放電がなされてガスこんろ部２に点火される。この押釦よりなる点火・消火操作部４が前方に突出した状態で点火・消火操作部４を指で摘んで回動操作することでガスこんろ部２の火力調整ができるようになっている。一方、消火にあたっては、前方に突出している点火・消火操作部４を後方に押し操作することで器具栓がＯＦＦとなってガスこんろ部２が消火されると共に、点火・消火操作部４の前面がこんろ本体１の前面と略面一状態となるように後退状態で保持される。また、後述する自動調理やタイマ機能や異常検知によって自動消火される場合もあり、この場合には点火・消火操作部４は器具栓をＯＮとする状態であっても安全弁（図示せず）により燃料ガスが遮断されて消火されるものであり、消火という場合には前述したように消火する場合と器具栓がＯＦＦとなって消火する場合の両方を含むものとする。なお、ガスこんろ部２における点火状態及び消火状態は、熱電対やサーミスタ、あるいはフレームセンサ等の点火・消火検知手段（図示せず）によって検知される。
【００３０】
こんろ本体１の前面の下部には操作パネル１１が収納自在に設けてある。添付図面に示す実施形態ではこんろ本体１の前面の左右の下部にそれぞれ操作パネル１１が収納自在に設けてある。
【００３１】
操作パネル１１をこんろ本体１の前面に収納自在とするに当たっては種々の構成が考えられるが、添付図面に示す実施形態ではこんろ本体１に回動自在に取付ける可動部材１１ａの上面に操作パネル１１を設け、可動部材１１ａを一方向に回動することで操作パネル１１がこんろ本体１の前面から突出する使用状態とし、可動部材１１ａを他方向に回動することで操作パネル１１がこんろ本体１内に収納される収納状態（非使用状態）となるように構成してある。
【００３２】
上記のようにしてこんろ本体１の前面の左右の下部にそれぞれ収納自在に設けた操作パネル１１のうち、一方の操作パネル１１にはグリル３に関する操作を行うためのグリル用設定部３ｂが設けてあり、他方の操作パネル１１にはガスこんろ部２による調理設定の入力を行うための調理設定部５が設けてある。
【００３３】
左こんろ部２ａ又は右こんろ部２ｂによる調理設定の入力を行うための調理設定部５は図４に示すように、ガスこんろ部２（２ａ、２ｂ）による調理時間を設定するためのタイマ入力部９、揚げもの、炊飯、湯わかし等の調理メニューを設定するための一組の調理入力部７及び調理表示部８と、左こんろ部２ａ又は右こんろ部２ｂのいずれのガスこんろ部２で自動調理を行うかのガスこんろ部２のガスこんろ部選択入力部６を備えている。本実施形態では調理入力部７として揚げものスイッチ７１、炊飯スイッチ７２、湯わかしスイッチ７３が設けてあり、揚げものスイッチ７１を何回押すかで２００℃、１８０℃、１６０℃といった複数種類の揚げものの調理の中から目的とする温度の揚げもの調理が設定できると共に揚げもの表示部８１に前記設定が表示されるようにしてあり、また、炊飯スイッチ７２を何回押すかでごはん、おかゆといった複数種類の炊飯の調理の中から目的とする炊飯の調理が設定できると共に炊飯表示部８２に前記設定が表示されるようにしてあり、また、湯わかしスイッチ７３を何回押すかで自動消火、５分保温といった湯わかし後にすぐ消火するか、あるいは一定時間保温するかといった湯わかしを選択して設定できると共に湯わかし表示部８３に前記設定が表示されるようにしてある。これらの調理設定部５においてガスこんろ部２（２ａ、２ｂ）における調理設定の入力が行われると、マイコンのような制御部（図示せず）によりあらかじめ設定された制御内容に基づいてガスこんろ部２（２ａ、２ｂ）における火力調整、調理時間等が制御されるものであり、この場合、なべ底温度をガスこんろ部２（２ａ、２ｂ）に設けた温度センサ２ｄにより検出して、該温度センサ２ｄで検出したなべ底温度を制御部に入力してフィードバック制御により火力調整を行うようになっている。
【００３４】
また、タイマ機能を使用する際には、タイマ機能を使用するガスこんろ部２（２ａ、２ｂ、２ｃ）をタイマ入力部９のタイマ選択スイッチ９１により選択するもので、タイマ選択スイッチ９１は押す毎に選択されるガスこんろ部２が左こんろ部２ａ、右こんろ部２ｂ、後こんろ部２ｃ、といったように変化するため、適当な回数を押すことで所望のガスこんろ部２を選択することができる。そしてタイマ選択スイッチ９１の時間設定スイッチ９２「＋」「−」を入力することで５分単位、１０分単位、あるいは１分単位等で時間を設定し、これによりタイマ表示部９３に設定時間が表示されると共にタイマ機能作動中は残時間が表示され、設定した時間が経過すると自動消火される。なお、タイマ機能を同時に使用することができるガスこんろ部２はいずれか一つのみである。
【００３５】
上記のような構成の本発明のガスこんろＡの使用に当たっては、基本的には以下のようにして行うものである。
【００３６】
各ガスこんろ部２の使用に当たっては、押釦よりなる点火・消火操作部４を指で押すことで点火・消火操作部４を前方に突出するのであるが、この時該当するガスこんろ部２にガスが供給されると共に点火される。点火・消火操作部４がこんろ本体１の前面から突出した燃焼状態で突出したこんろ本体１を指で摘んで回動操作することで該当するガスこんろ部２の火力調整を行うものである。また、突出状態の点火・消火操作部４を押し込むことで消火されると共に押し込んで前面がこんろ本体１の前面と略面一となった状態で後退状態が維持される。
【００３７】
このように、ガスこんろ部２の使用に当たっては、こんろ本体１の前面に露出している点火・消火操作部４を直接指で操作して点火操作、火力調整操作、消火操作を行うものである。
【００３８】
次に、左こんろ部２ａ又は右こんろ部２ｂで自動調理を行う場合について説明する。左こんろ部２ａ又は右こんろ部２ｂで自動調理の設定を行う場合は、上記のように押釦よりなる点火・消火操作部４を指で押して点火・消火操作部４を前方に突出させる点火操作を行った後、調理設定部５のガスこんろ部選択入力部６で左こんろ部２ａ又は右こんろ部２ｂのうちの使用する方のスイッチ（左こんろ部選択スイッチ６１又は右こんろ部選択スイッチ６２）を押し操作して選択入力し、その後、揚げもの、炊飯、湯わかし等の目的とする調理設定の入力を行うことで、選択した方のガスこんろ部２（２ａ、２ｂ）によって目的とする調理がなされるように制御部により火力調整、調理時間等が制御されて自動調理が行われるものである。なお、同時に左こんろ部２ａと右こんろ部２ｂの両方で自動調理を行うことはできない。以下、各実施例について説明する。
【００３９】
まず第一の実施例について図１、図２に示すフローチャートに基づいて説明する。ここでは、例として左こんろ部２ａで自動調理を行う場合について説明する。
【００４０】
図１に示すように、左こんろ部２ａで自動調理を行おうとする場合、まず左こんろ部２ａが選択されていない左未選択状態（Ｓ０）において、左こんろ部２ａの点火・消火操作部４ａが点火操作されていて器具栓がＯＮとなっているか否かが判定され（Ｓ１）、ＯＮとなっていなければ再び左こんろ部２ａの未選択状態（Ｓ０）へと戻り、ＯＮとなっていれば次のステップ（Ｓ２）へと進む。なお、このステップ（Ｓ１）では、器具栓がＯＮとなっていても自動調理やタイマ機能や異常検知によって自動消火された場合には、器具栓がＯＦＦとみなされるものである。また、自動調理やタイマ機能や異常検知によって自動消火されたのではない場合（即ち、自動消火されたあるいはされていない両方の場合に器具栓が一旦ＯＦＦとなった場合）は、点火操作により器具栓がＯＮとなれば点火・消火検知手段により点火が未検知でも点火されるものとして次のステップ（Ｓ２）へと進む。
【００４１】
次のステップ（Ｓ２）では、左こんろ部選択スイッチ６１が押し操作されて左こんろ部２ａの選択入力がＯＮとなっているか（フラグが立っているか）否かが判定され、ＯＮとなっていれば次のステップ（Ｓ３）へと進み、ＯＮとなっていなければ再び左こんろ部２ａの未選択状態（Ｓ０）へと戻る。
【００４２】
次のステップ（Ｓ３）では、右こんろ部２ｂの選択が受け付けられていて右こんろ部２ｂでの自動調理が受け付け可能な右こんろ部選択モードとなっている（右こんろ部選択モードとなっていて自動調理がなされている場合も含む）か否かが判定され、右こんろ部選択モードとなっていない場合にはステップ（Ｓ５）へと進み、右こんろ部選択モードとなっている場合には、右こんろ部選択モードを解除すると共に右こんろ部選択表示部６２ａの表示を消灯して（Ｓ４）、次のステップ（Ｓ５）へと進む。
【００４３】
次のステップ（Ｓ５）では、左こんろ部選択表示部６１ａの表示を点灯し、これにより左こんろ部２ａの選択が受け付けられて、左こんろ部２ａでの自動調理を受け付け可能な左こんろ部選択モードとなる。
【００４４】
左こんろ部選択モードとなると、図２に示す次のステップ（Ｓ６）でいずれかの自動調理のスイッチ（揚げものスイッチ７１、炊飯スイッチ７２、湯わかしスイッチ７３）がＯＮとなっているか（フラグが立っているか）否かが判定され、ＯＮとなっていれば左こんろ部２ａにて自動調理モードへと移行し（Ｓ７）、ＯＮとなっていなければ、次のステップ（Ｓ８）へと進む。
【００４５】
次のステップ（Ｓ８）では、右こんろ部選択スイッチ６２が押し操作されて右こんろ部２ｂの選択入力がＯＮとなっているか（フラグが立っているか）否かが判定され、ＯＮとなっていなければステップ（Ｓ９）へと進み、ＯＮとなっていれば、左こんろ部選択表示部６１ａの表示を消灯して左こんろ部選択モードを解除し（Ｓ１０）、更に、右こんろ部２ｂの器具栓がＯＮとなっているか否かが判定され（Ｓ１１）、右こんろ部２ｂの器具栓がＯＮとなっていれば、ステップ（Ｓ１２）に進んで右こんろ部選択表示部６２ａの表示を点灯して今度は右こんろ部選択モードとしてステップ（Ｓ６）（右こんろ部選択モードとしてのフローチャートは図示していないが、図１、図２において“右”と“左”の語句を入れ替えたものが右こんろ部選択モードとしてのフローチャートである）へと進み、右こんろ部２ｂの器具栓がＯＦＦとなっていれば、ステップ（Ｓ１３）へと進んで左未選択状態（Ｓ０）へと戻る。
【００４６】
ステップ（Ｓ９）では、左こんろ部選択スイッチ６１が再び押し操作されて左こんろ部２ａの選択入力がＯＮとなっているか（フラグが立っているか）否か、及び、左こんろ部２ａの器具栓がＯＦＦとなっているか否か、が判定され、左こんろ部選択スイッチ６１のフラグが立っているかあるいは左こんろ部２ａの器具栓がＯＦＦとなっている場合には、左こんろ部選択表示部６１ａの表示を消灯して左こんろ部選択モードを解除し（Ｓ１５）、ステップ（Ｓ１６）へと進んで左未選択状態（Ｓ０）へと戻り、左こんろ部選択スイッチ６１のフラグが立っておらず且つ左こんろ部２ａの器具栓がＯＮとなっている場合には、次のステップ（Ｓ１４）へと進む。
【００４７】
ステップ（Ｓ１４）では、左こんろ部選択モードとなって無操作で１０秒が経過したか否か、即ち、左こんろ部選択モードとなって左こんろ部選択スイッチ６１、右こんろ部選択スイッチ６２、調理入力部７のスイッチの入力が無い状態で１０秒が経過したか否かが判定され、無操作で１０秒が経過していない場合には、再びステップ（Ｓ６）へと戻り、無操作で１０秒が経過した場合には、左こんろ部選択表示部６１ａの表示を消灯して左こんろ部選択モードを解除し（Ｓ１５）、ステップ（Ｓ１６）へと進んで左未選択状態（Ｓ０）へと戻る。
【００４８】
また、左こんろ部選択モードでステップ（Ｓ７）の自動調理モードへと移行した後、図示はしないが、右こんろ部２ｂの選択入力がされると、左こんろ部選択表示部６１ａの表示を消灯して左こんろ部選択モード及び自動調理モードを解除し、更に、右こんろ部２ｂの器具栓がＯＮとなっているか否かが判定され、右こんろ部２ｂの器具栓がＯＮとなっていれば、右こんろ部選択表示部６２ａの表示を点灯して今度は右こんろ部選択モードとしてステップ（Ｓ６）（右こんろ部選択モードとしてのフローチャートは図示していないが、図１、図２において“右”と“左”の語句を入れ替えたものが右こんろ部選択モードとしてのフローチャートである）へと進み、右こんろ部２ｂの器具栓がＯＦＦとなっていれば、左未選択状態（Ｓ０）へと戻る。
【００４９】
また、左こんろ部選択モードでステップ（Ｓ７）の自動調理モードへと移行した後、図示はしないが、左こんろ部２ａの選択入力がされると、左こんろ部選択表示部６１ａの表示を消灯して左こんろ部選択モード及び自動調理モードを解除し、左未選択状態（Ｓ０）へと戻る。
【００５０】
また、自動調理やタイマ機能や異常検知によって自動消火された場合には、点火・消火操作部４が器具栓をＯＮとする状態であっても燃料ガスが遮断されて消火状態が維持されるため、該ガスこんろ部２の選択入力がなされても受け付けずに、音声や光等により報知する報知手段（図示せず）により選択が受け付けられなかった旨が報知されるものである。
【００５１】
上述したガスこんろにおいては、複数のガスこんろ部２を備えると共に、複数のガスこんろ部２のうちのいずれか一つのガスこんろ部２で自動調理を行うための調理設定部５を設け、自動調理を行うガスこんろ部２をガスこんろ部選択入力部６の選択入力により切り替えて使用することで、ガスこんろに調理設定部５を一つ設けるだけで済んで、複数のガスこんろ部２に対応する調理設定部５をそれぞれ設けるもののように、こんろ本体１に複数の調理設定部５を設けるスペースを確保する必要がなくてこんろ本体１の小型化及び簡素化が図られると共にコストの増加を防止することができ、また、自動調理が可能なガスこんろ部２をいずれか一つのガスこんろ部２に固定する場合のように、自動調理が可能なガスこんろ部２の位置を異ならせた複数種類のガスこんろを製造する必要がなくて設計及び製造ラインの簡素化が図られる。
【００５２】
これに加えて本発明では、ガスこんろ部選択入力部６は、選択しようとするガスこんろ部２の点火・消火操作部４にて点火操作がされて器具栓がＯＮとなっている時に、この選択しようとするガスこんろ部２の選択入力がされた場合のみ、この選択を受け付けてこのガスこんろ部２での自動調理を受け付け可能な状態（こんろ部選択モード）とし、選択しようとするガスこんろ部２が消火されている時には、この選択しようとするガスこんろ部２の選択入力がされても選択を受け付けないように制御することで、加熱を行っているガスこんろ部２でのみこんろ部選択モードとすることができるという限定を行って、操作のパターン数を減少させて操作手順の単純化が図られるものである。つまり、選択しようとするガスこんろ部２の器具栓がＯＮとなっているか否かに拘わらず、ガスこんろ部選択入力部６での選択入力を受け付けてこんろ部選択モードとするようにした場合、自動調理の設定を行った後でこのガスこんろ部２の点火・消火操作部４にて点火操作するパターンと、このガスこんろ部２の点火・消火操作部４にて点火操作した後で自動調理の設定を行うパターンの二通りのパターンが生じて、それぞれの制御パターンを設定しておく必要が生じると共に、操作手順も二通り生じて操作が煩雑となってしまうという問題があるが、本発明ではこのうち後者のように点火操作した後でガスこんろ部２の選択を受け付けることとなって、この後の操作は自動調理の設定を行うのみとなり、一パターンのみが存在して上記問題が解決されるものである。
【００５３】
なお、操作のパターン数を減少させるという観点からは、上記二通りのパターンのうち本発明とは異なる方となるように、選択しようとするガスこんろ部２の器具栓がＯＦＦとなっている状態でこのガスこんろ部２の選択入力がされた時に選択を受け付けて自動調理の設定を行い、その後で点火操作を行うようにすると、操作のパターンは一通りに固定されて上記問題が一応解決されるものの、点火・消火操作部４にて点火操作して加熱中のガスこんろ部２に対して自動調理を行おうとする場合、一旦ガスこんろ部２の器具栓がＯＦＦとして加熱を停止した後で、再度このガスこんろ部２の選択入力、自動調理の設定入力、点火操作を順に行う必要があるのに対し、本発明ではガスこんろ部２の選択入力を行って自動調理の設定を行うという通常の操作を行えばよく、本発明の方が操作性に優れたものとなる。
【００５４】
また、一のガスこんろ部２の選択を受け付けてガスこんろ部２選択モードとなった後、所定時間内に調理入力部７からの入力がない場合に、前記ガスこんろ部２の選択を解除するようにしたことで、ガスこんろ部２選択モードを維持する必要がなく、前記ガスこんろ部２選択モードを長時間維持することによる無駄なエネルギー消費（即ちこんろ部選択表示部の点灯）を抑えることができる。
【００５５】
また、一のガスこんろ部２の選択を受け付けてガスこんろ部２選択モードとなった状態で、他のガスこんろ部２の選択入力がされた時に、前記選択されている一のガスこんろ部２の選択を解除（即ち前記ガスこんろ部２選択モードを解除）すると共に、他のガスこんろ部２の選択を受け付けて該ガスこんろ部２選択モードとする所謂「後押し優先」とすることで、一のガスこんろ部２選択モードの解除と他のガスこんろ部２選択モードへの移行とを一操作部（即ち移行するガスこんろ部２選択スイッチ）で行うことができて操作部を兼用することができると共に一操作で行うことができて操作性が向上するものである。
【００５６】
また、自動調理が可能な複数のガスこんろ部２（本実施形態では左こんろ部２ａと右こんろ部２ｂ）の火力を略同等（本実施形態では後こんろ部２ｃの小火力に対して高火力）としたことで、自動調理が可能な複数のガスこんろ部２のうちの高火力とするガスこんろ部２の位置を異ならせた複数種類のガスこんろを製造する必要がなくて設計及び製造ラインの簡素化が図られ、在庫を減らすことができる。
【００５７】
また、選択されているガスこんろ部２の選択入力を行うか、あるいは、器具栓をＯＦＦとすることでガスこんろ部２の選択及び自動調理が解除されるため、取消スイッチを別に設けなくても選択の取消が行われて、取消スイッチを省略することができ、こんろ本体１の小型化及び簡素化が図られると共にコストの削減が図られる。
【００５８】
次に、上記第一の実施例において、全てのガスこんろ部２が消火されている時に一のガスこんろ部２の点火・消火操作部４にて点火操作がされた場合に、この点火操作がされたガスこんろ部２の選択を受け付ける場合について図２に基づいて説明する。
【００５９】
左こんろ部２ａの器具栓がＯＦＦとなっている状態で（Ｓ２０）、左こんろ部２ａの器具栓がＯＮとなると（Ｓ２１）、次のステップ（Ｓ２２）で右こんろ部２ｂの器具栓がＯＮとなっているか否かが判定され、右こんろ部２ｂの器具栓がＯＦＦとなっていれば、ステップ（Ｓ２３）で左こんろ部選択表示部６１ａの表示を点灯して左こんろ部選択モードとなり、次のステップ（Ｓ６）へと進み、右こんろ部２ｂの器具栓がＯＮとなっていれば、自動調理が可能な全てのガスこんろ部２が消火されている状態で点火操作を行ったものではないからステップ（Ｓ０）へと進む。ステップ（Ｓ０）以降は上述した通りである。
【００６０】
このように、自動調理が可能な全てのガスこんろ部２が消火されている状態でこのうちの一つのガスこんろ部２の点火操作を行った時にこのガスこんろ部２選択モードとすることで、この場合にガスこんろ部選択入力部６の入力操作を行う必要がなくなり、操作回数を削減して操作性を向上させることができるものである。
【００６１】
次に、第二の実施例について図５に示すフローチャートに基づいて説明する。ここでも、例として左こんろ部２ａで自動調理を行う場合について説明する。なお、第一の実施例と同様の部分については説明を省略し、主に異なる部分について説明する。
【００６２】
図５に示すように、左未選択状態（Ｓ０）から左こんろ部選択スイッチ６１が押し操作されて左こんろ部２ａの選択入力がＯＮとなっているか否かを判定するステップ（Ｓ２）までは第一の実施例と同様である。
【００６３】
次のステップ（Ｓ３）では、右こんろ部２ｂの選択が受け付けられていて右こんろ部２ｂでの自動調理が受け付け可能な右こんろ部選択モードとなっている（右こんろ部選択モードとなっていて自動調理がなされている場合も含む）か否かが判定される点は第一の実施例と同様であり、右こんろ部選択モードとなっていない場合には第一の実施例と同様にステップ（Ｓ５）へと進み、右こんろ部選択モードとなっている場合には、本第二の実施例では左こんろ部２ａの選択が受け付けられず、左こんろ部選択スイッチ６１の選択入力のフラグが取り消されて左未選択状態（Ｓ０）へと戻ると共に、報知手段により選択が受け付けられなかった旨が報知されるものである。
【００６４】
この後のステップ（Ｓ６）以降は、図２に示す第一の実施例と同様であるが、ステップ（Ｓ７）の自動調理モードへと移行後、およびステップ（Ｓ８）は異なる。
【００６５】
左こんろ部選択モードではステップ（Ｓ８）がスキップされ、ステップ（Ｓ７）の自動調理モードへと移行した後、図示はしないが、右こんろ部２ｂの選択入力がされても受け付けずに、左こんろ部選択モード及び自動調理モードが維持されると共に、報知手段により選択が受け付けられなかった旨が報知されるものである。
【００６６】
また、左こんろ部選択モードでステップ（Ｓ７）の自動調理モードへと移行した後、図示はしないが、左こんろ部２ａの選択入力がされても受け付けずに、左こんろ部選択モード及び自動調理モードが維持され、報知手段による報知は行わない。
【００６７】
この第二の実施例では、一のガスこんろ部２の選択を受け付けた状態（本例では右こんろ選択モード）で他のガスこんろ部２（左ガスこんろ部２）の選択入力がされた時に、前記選択されている一のガスこんろ部２の選択（即ち右こんろ部選択モード）を維持すると共に、他のガスこんろ部２の選択を受け付けない所謂「後押しキャンセル」とすることで、一のガスこんろ部２の選択を受け付けた状態で誤って他のガスこんろ部２の選択入力がされた時に前記状態が解除されたり自動調理が途中で停止してしまうのを防止することができる。
【００６８】
また、選択されているガスこんろ部２の選択の解除は、自動調理モードへと移行する前に、選択されているガスこんろ部２の選択入力を行うか、あるいは、器具栓をＯＦＦとすることで行われるため、取消スイッチを別に設けなくても選択の取消が行われて、取消スイッチを省略することができ、こんろ本体１の小型化及び簡素化が図られると共にコストの削減が図られる。
【００６９】
また、器具栓をＯＦＦとすることでガスこんろ部２の自動調理が解除されるため、取消スイッチを別に設けなくても選択の取消が行われて、取消スイッチを省略することができ、こんろ本体１の小型化及び簡素化が図られると共にコストの削減が図られる。
【００７０】
また、このガスこんろにおいては、上記第一の実施例又は第二の実施例のいずれか、即ち「後押し優先」か「後押しキャンセル」かを任意に選択可能とすることで、使用者の好みに応じた設定を行うことができる。
【図面の簡単な説明】
【００７１】
【図１】本発明の第一の実施例のうち請求項１に係る部分を説明するフローチャートである。
【図２】同上の実施例の残りの部分を説明するフローチャートである。
【図３】ガスこんろの全体斜視図である。
【図４】ガスこんろの調理表示部の正面図である。
【図５】本発明の第二の実施例のうち請求項１に係る部分を説明するフローチャートである。
【符号の説明】
【００７２】
１    こんろ本体
２    ガスこんろ部
２ａ  左こんろ部
２ｂ  右こんろ部
２ｃ  後こんろ部
２ｄ  温度センサ
３    グリル
４    点火・消火操作部
５    調理設定部
６    ガスこんろ部選択入力部
７    調理入力部
８    調理表示部
９    タイマ入力部
【図１】
0005091577.tif 000002
【図２】
0005091577.tif 000003
【図３】
0005091577.tif 000004
【図４】
0005091577.tif 000005
【図５】
0005091577.tif 000006